(57)【要約】      （修正有）【課題】タッチパネル上のアイコンを容易かつ確実に操作できる情報表示装置を提供する。【解決手段】画面の大きさおよび解像度に基づいてアイコンの反応領域の大きさを示すデータを基準値として取得し、取得した基準値に基づいてアイコンが押しやすい反応領域の大きさを持っているかを判断し（ステップＳ１４）、アイコンが押しやすい大きさを持っていないと判断すると、反応領域拡大手段は、アイコンの反応領域の大きさを拡大する（ステップＳ１６）。【選択図】図３Ａ
2014016714.tif 000002
【特許請求の範囲】
【請求項１】
画面上のアイコンを接触により操作可能なタッチパネルと、
画面の大きさおよび解像度に応じて決定されるアイコンの押しやすい反応領域の大きさを示す予め定められたデータを記憶するメモリと、
上記メモリから、上記画面の大きさおよび解像度に基づいて、アイコンの反応領域の大きさを示すデータを、基準値として取得する基準値取得手段と、
上記画面上に表示されるべきアイコンの反応領域の大きさが、上記基準値取得手段によって取得された上記基準値よりも小さいと、上記アイコンの反応領域の大きさを上記基準値となるように拡大する反応領域拡大手段と
を備えることを特徴とする情報表示装置。
【請求項２】
請求項１に記載の情報表示装置において、
上記反応領域拡大手段は、上記アイコンの外形の大きさは変化させず、上記アイコンの反応領域だけを拡大することを特徴とする情報表示装置。
【請求項３】
請求項１または２に記載の情報表示装置において、
上記反応領域拡大手段によって第１のアイコンの反応領域を拡大するとき、この第１のアイコンの反応領域が、第２のアイコンの反応領域と重複しないように、この第１のアイコンの反応領域の位置を調整する反応領域再調整手段を備えることを特徴とする情報表示装置。
【請求項４】
請求項１から３の何れか一つに記載の情報表示装置において、
ユーザの選択によりアイコンの反応領域の大きさを設定できるユーザ設定手段を備えることを特徴とする情報表示装置。
【請求項５】
タッチパネルの画面上に表示されるアイコンの押しやすい反応領域の大きさを示す予め定められたデータから、上記画面の大きさおよび解像度に基づいて、アイコンの反応領域の大きさを示すデータを、基準値として取得する基準値取得工程と、
上記画面上に表示されるべきアイコンの反応領域の大きさが、上記基準値取得工程によって取得された上記基準値よりも小さいと、上記アイコンの反応領域の大きさを上記基準値となるように拡大する反応領域拡大工程と
を備えることを特徴とする情報表示方法。
【請求項６】
コンピュータを、
請求項１における上記基準値取得手段および上記反応領域拡大手段
として機能させることを特徴とする情報表示プログラム。
【請求項７】
請求項６に記載の情報表示プログラムが記録されたことを特徴とするコンピュータ読出し可能なプログラム記録媒体。
【発明の詳細な説明】
【技術分野】
【０００１】
この発明は、例えば、電子辞書、携帯電話、携帯情報端末（PDA: Personal Digital Assistant）等の情報表示装置、情報表示方法、情報表示プログラム、および、プログラム記録媒体に関する。
【背景技術】
【０００２】
従来、情報表示装置としては、特開２００９−３７３４３号公報（特許文献１）に開示されたものがある。この情報表示装置では、ユーザによるタッチパネルの第１の反応領域への押圧が検出されると、この第１の反応領域の範囲を、基準領域の少なくとも一部を含む変更領域に変更し、第１の反応領域の押圧の次に第２の反応領域の押圧が検出されると、第１の反応領域の範囲を上記変更領域から上記基準領域に戻す。
【０００３】
また、他の情報表示装置としては、特開２００６−２３６１４３号公報（特許文献２）に開示されたものがある。この情報表示装置では、ユーザの指がメイン表示部の表示面に対して所定の距離以上近接したことを検出した際に、そのユーザの指が近接しているアイコンを拡大表示する。
【０００４】
また、他の情報表示装置としては、特開２００５−３５２９２４号公報（特許文献３）に開示されたものがある。この情報表示装置では、タッチパネルのユーザ接触位置に対応したボタンを特定し、そのボタンを表示制御部に拡大表示させる。ユーザが更に液晶画面を押し込むと、操作検出部がその押下を検出する。
【０００５】
また、他の情報表示装置としては、特開２００９−３１９１４号公報（特許文献４）に開示されたものがある。この情報表示装置では、認識領域のうちの表示領域の範囲外になされたタッチの頻度に基づいて、表示領域に対するタッチ位置ズレ方向を認定する方向認定手段と、認識領域よりもタッチ位置ズレ方向側の領域をタッチした際のタッチ位置の検出値に対して所定の補正値を加えて、タッチ操作ボタンの認識領域の範囲内となるように補正する。
【先行技術文献】
【特許文献】
【０００６】
【特許文献１】特開２００９−３７３４３号公報
【特許文献２】特開２００６−２３６１４３号公報
【特許文献３】特開２００５−３５２９２４号公報
【特許文献４】特開２００９−３１９１４号公報
【発明の概要】
【発明が解決しようとする課題】
【０００７】
ところで、タッチパネルが搭載された情報表示装置での操作は、タッチパネルの入力位置の座標がアイコンの反応領域に含まれるか否かの座標判定によって、アイコンの選択を行うのが基本となっている。このとき、アイコンの外形が小さい場合は、アイコンの反応領域も小さいため、操作した人の意図するアイコンの選択がなされないことがままある。
【０００８】
そして、上記特許文献１では、ユーザが操作した後に反応領域を変化させる場合、２回目以降は反応領域が拡大されることによって操作しやすくなるが、最初の１回目の操作が難しいままとなってしまう問題がある。
【０００９】
また、上記特許文献２では、指の接近を感知して、その部分を拡大する場合、指の接近を検出する手段が必要となり、かつ、画面の再描画が必要となる問題がある。
【００１０】
また、上記特許文献３では、ユーザが押した領域を検出し、さらに押し込まれたことを検出する手段が必要となり、ユーザの操作が煩雑になる問題がある。
【００１１】
また、上記特許文献４では、タッチ頻度を学習するまでは精度が上昇しない問題がある。
【００１２】
そこで、この発明の課題は、タッチパネル上のアイコンを容易かつ確実に操作できる情報表示装置を提供することにある。
【課題を解決するための手段】
【００１３】
上記課題を解決するため、この発明の情報表示装置は、
画面上のアイコンを接触により操作可能なタッチパネルと、
画面の大きさおよび解像度に応じて決定されるアイコンの押しやすい反応領域の大きさを示す予め定められたデータを記憶するメモリと、
上記メモリから、上記画面の大きさおよび解像度に基づいて、アイコンの反応領域の大きさを示すデータを、基準値として取得する基準値取得手段と、
上記画面上に表示されるべきアイコンの反応領域の大きさが、上記基準値取得手段によって取得された上記基準値よりも小さいと、上記アイコンの反応領域の大きさを上記基準値となるように拡大する反応領域拡大手段と
を備えることを特徴としている。
【００１４】
この発明の情報表示装置によれば、上記反応領域拡大手段は、画面上に表示されるべきアイコンの反応領域の大きさが、基準値取得手段によって取得された基準値よりも小さいと、アイコンの反応領域の大きさを基準値となるように拡大する。
【００１５】
これによって、アイコンの反応領域が拡大されるため、外形が小さなアイコンであっても選択しやすくなる。また、画面上にアイコンを表示する際に、アイコンの反応領域の拡大処理が行われるため、前もってユーザが特別な操作を実行する必要がなく、１回目の操作からアイコンを押しやすい。
【００１６】
また、一実施形態の情報表示装置では、上記反応領域拡大手段は、上記アイコンの外形の大きさは変化させず、上記アイコンの反応領域だけを拡大する。
【００１７】
この実施形態の情報表示装置によれば、上記反応領域拡大手段は、アイコンの外形の大きさは変化させず、アイコンの反応領域だけを拡大する。これによって、拡大されるのはアイコンの反応領域のみで、アイコンの外形や画面構成は変わらないため、画面の再描画やユーザの追加のアクション等が不要であり、スムーズな操作が可能である。
【００１８】
また、一実施形態の情報表示装置では、上記反応領域拡大手段によって第１のアイコンの反応領域を拡大するとき、この第１のアイコンの反応領域が、第２のアイコンの反応領域と重複しないように、この第１のアイコンの反応領域の位置を調整する反応領域再調整手段を備える。
【００１９】
この実施形態の情報表示装置によれば、上記反応領域再調整手段は、反応領域拡大手段によって第１のアイコンの反応領域を拡大するとき、この第１のアイコンの反応領域が、第２のアイコンの反応領域と重複しないように、この第１のアイコンの反応領域の位置を調整する。これによって、第１のアイコンが第２のアイコンに隣接していても、第１のアイコンの押しやすさを改善できる。
【００２０】
また、一実施形態の情報表示装置では、ユーザの選択によりアイコンの反応領域の大きさを設定できるユーザ設定手段を備える。
【００２１】
この実施形態の情報表示装置によれば、上記ユーザ設定手段は、ユーザの選択によりアイコンの反応領域の大きさを設定できる。これによって、ユーザの好みにあわせて、アイコンの反応領域の大きさを選択できる。
【００２２】
また、一実施形態の情報表示方法では、
タッチパネルの画面上に表示されるアイコンの押しやすい反応領域の大きさを示す予め定められたデータから、上記画面の大きさおよび解像度に基づいて、アイコンの反応領域の大きさを示すデータを、基準値として取得する基準値取得工程と、
上記画面上に表示されるべきアイコンの反応領域の大きさが、上記基準値取得工程によって取得された上記基準値よりも小さいと、上記アイコンの反応領域の大きさを上記基準値となるように拡大する反応領域拡大工程と
を備える。
【００２３】
この実施形態の情報表示方法によれば、上記反応領域拡大工程は、画面上に表示されるべきアイコンの反応領域の大きさが、基準値取得工程によって取得された基準値よりも小さいと、アイコンの反応領域の大きさを基準値となるように拡大する。
【００２４】
これによって、アイコンの反応領域が拡大されるため、外形が小さなアイコンであっても選択しやすくなる。また、画面上にアイコンを表示する際に、アイコンの反応領域の拡大処理が行われるため、前もってユーザが特別な操作を実行する必要がなく、１回目の操作からアイコンを押しやすい。
【００２５】
また、一実施形態の情報表示プログラムでは、
コンピュータを、
上記基準値取得手段および上記反応領域拡大手段
として機能させる。
【００２６】
また、一実施形態のプログラム記録媒体では、上記情報表示プログラムが記録されている。
【００２７】
この実施形態の情報表示プログラムおよびプログラム記録媒体によれば、アイコンの反応領域が拡大されるため、外形が小さなアイコンであっても選択しやすくなる。また、画面上にアイコンを表示する際に、アイコンの反応領域の拡大処理が行われるため、前もってユーザが特別な操作を実行する必要がなく、１回目の操作からアイコンを押しやすい。
【発明の効果】
【００２８】
この発明の情報表示装置、情報表示方法、情報表示プログラム、および、プログラム記録媒体によれば、上記反応領域拡大手段（工程）は、画面上に表示されるべきアイコンの反応領域の大きさが、基準値取得手段（工程）によって取得された基準値よりも小さいと、アイコンの反応領域の大きさを基準値となるように拡大するので、タッチパネル上のアイコンを容易かつ確実に操作できる。
【図面の簡単な説明】
【００２９】
【図１】本発明の情報表示装置を示すブロック図である。
【図２】制御部を示すブロック図である。
【図３Ａ】上記情報表示装置の動作を示すフローチャートである。
【図３Ｂ】上記情報表示装置の動作を示すフローチャートである。
【図４】上記情報表示装置の動作を示すフローチャートである。
【図５】アイコンの反応領域が拡大されない状態を示す説明図である。
【図６】アイコンの反応領域が拡大された状態を示す説明図である。
【図７】アイコンの反応領域が拡大された状態を示す説明図である。
【図８】一方のアイコンの反応領域が拡大され、他方のアイコンの反応領域が拡大されない状態を示す説明図である。
【図９】アイコンの反応領域の拡大が調整された状態を示す説明図である。
【図１０】アイコンの反応領域が拡大された他の状態を示す説明図である。
【図１１】アイコンの反応領域が拡大された別の状態を示す説明図である。
【図１２】調整バーを示す説明図である。
【発明を実施するための形態】
【００３０】
以下、この発明を図示の実施の形態により詳細に説明する。
【００３１】
図１は、この発明の情報表示装置を示すブロック図である。図１に示すように、この情報表示装置１は、制御部１１と、駆動部１２と、ＲＯＭ（Read Only Memory）２１と、ＲＡＭ（Random Access Memory）２２と、ＬＣＤ（Liquid Crystal Display）２３と、タッチパネル２４とを備える。
【００３２】
上記ＬＣＤ２３は、液晶ディスプレイであり、アイコンなどを画面に表示する。ＬＣＤ２３の構造は、従来から公知のＬＣＤの構造と同様である。このため、ＬＣＤ２３の構造の説明を省略する。
【００３３】
上記タッチパネル２４は、画面上のアイコンなどを、指でタッチすることにより、操作可能となっている。つまり、タッチパネル２４は、指によるパネルの押し下げを検出する押下検出手段３９を有する。タッチパネル２４の構造は、従来から公知のタッチパネルの構造と同様である。このため、タッチパネル１０の構造の説明を省略する。
【００３４】
上記駆動部１２は、上記ＬＣＤ２３と上記タッチパネル２４を駆動する。この駆動部１２は、上記制御部１１により、制御される。
【００３５】
上記ＲＯＭ２１は、読み出し可能な半導体記憶装置である。このＲＯＭ２１は、画面オブジェクト取得手段３１と、反応領域拡大手段３２と、反応領域再調整手段３３と、基準値取得手段３４と、ユーザ設定手段３５とを記憶している。この各手段３１〜３５は、図３Ａと図３Ｂに示すように、動作する。
【００３６】
上記ＲＡＭ２２は、読み出し書き込み可能な半導体装置である。このＲＡＭ２２は、画面情報３６と、作業データ一時保管場所３７と、最終データ保管場所３８とを記憶している。この情報３６とこの場所３７，３８は、図３Ａと図３Ｂに示すように、用いられる。
【００３７】
上記制御部１１は、ＣＰＵ（中央演算処理）からなり、上記タッチパネル２４や上記ＲＯＭ２１や上記ＲＡＭ２２等から信号を受けて、種々の演算処理を行って、上記ＬＣＤ２３や上記ＲＯＭ２１や上記ＲＡＭ２２等に信号を出力する。
【００３８】
図２に示すように、上記制御部１１は、画面オブジェクト登録部１１１と、反応領域取得部１１２と、判定部１１３とを有する。この各部１１１〜１１３は、図４に示すように、動作する。
【００３９】
上記制御部１１は、アプリケーション１５と、上記タッチパネル２４を駆動するタッチパネルドライバ１２１と、上記ＬＣＤ２３を駆動するＬＣＤドライバ１２２とに接続される。タッチパネルドライバ１２１およびＬＣＤドライバ１２２は、上記駆動部１２を構成する。
【００４０】
上記構成の情報表示装置は、図３Ａと図３Ｂと図４に示すように、動作する。
【００４１】
この情報表示装置のＬＣＤ２３の画面には、アプリケーション１５のアイコンが表示される。上記基準値取得手段３４は、メモリ３４１から、この画面におけるアイコンの押しやすい反応領域の大きさの基準値を取得する（図３ＡのステップＳ１１）。
【００４２】
上記メモリ３４１は、画面の大きさおよび解像度に応じて決定されるアイコンの押しやすい反応領域の大きさを示す予め定められた数値テーブルを、記憶している。上記基準値取得手段３４は、このメモリ３４１から、画面の大きさおよび解像度に基づいて、アイコンの反応領域の大きさを示すデータを、基準値として取得する。
【００４３】
例えば、所定のタッチパッドにおいて、指で画面を押し下げた時、中心座標の検出値がどうなるのか統計を行い、検出誤差を算出しておき、それを固定された値として記憶する。検出誤差が±１０ドットであるとするならば、アイコンの反応領域が最低２０ドットに設定されていれば、検出されやすくなる。つまり、上記基準値は、２０ドットとなる。
【００４４】
そして、上記画面オブジェクト取得手段３１は、上記画面情報３６から、アイコンの数、座標、大きさの情報を取得する（ステップＳ１２）。この画面情報３６には、画面上に表示される全てのアイコンについての情報が、記憶されている。
【００４５】
そして、この全てのアイコンのうち、対象となるアイコンを選択し（ステップＳ１３）、この選択されたアイコンが押しやすい大きさを持っているかを判断する（ステップＳ１４）。つまり、このアイコンの反応領域の大きさが、上記基準値取得手段３４によって取得された上記基準値を満たすか否かを判断する。
【００４６】
このアイコンの反応領域の大きさが上記基準値を満たすと、このアイコンの反応領域を上記作業データ一時保管場所３７に記憶する（ステップＳ１５）。
【００４７】
例えば、図５に示すように、画面５０に表示されるアイコン５１の外形が押しやすい大きさである場合、アイコン５１の反応領域６１の大きさは、そのままとする。アイコン５１の反応領域６１は、アイコン５１の（見た目の）外形と一致している。通常のアイコン５１では、外形と反応領域とは、一致している。
【００４８】
一方、このアイコンの反応領域の大きさが上記基準値よりも小さいと、上記反応領域拡大手段３２は、上記アイコンの反応領域の大きさを上記基準値となるように拡大する（ステップＳ１６）。このとき、反応領域拡大手段３２は、アイコンの外形の大きさは変化させず、アイコンの反応領域だけを拡大する。外形は、画面に表示され、反応領域は、画面に表示されない。
【００４９】
例えば、図６に示すように、画面５０が小さくて、アイコン５１の外形が押しやすい大きさでない場合、アイコン５１の外形よりも反応領域６１を上下左右へ拡大する。これにより、同じユーザインターフェイスを搭載し、同じ解像度を持つが、画面の大きさが異なる端末があったとしても、アイコンの押しやすさを改善させることができる。
【００５０】
また、図７に示すように、画面５０のアイコン５１が縮小され、アイコン５１が小さくなって、アイコン５１の外形が押しやすい大きさでない場合、アイコン５１の外形よりも反応領域６１を大きくする。これにより、ユーザ操作によってアイコン５１の表示が小さくなってしまった場合であっても、自動的に反応領域が拡大されるため、アイコンの押しやすさが改善される。
【００５１】
そして、このアイコンの反応領域を上記作業データ一時保管場所３７に記憶する（ステップＳ１５）。
【００５２】
その後、未処理のアイコンがなくなるまで、上記ステップＳ１３〜上記ステップＳ１６を繰り返す（ステップＳ１７）。
【００５３】
これにより、図８に示すように、同一の画面５０において、チェックボックスのような第１のアイコン５１Ａが押しやすい大きさではないと判断された場合、第１のアイコン５１Ａの反応領域６１Ａは拡大され、一方、ＯＫボタンのような第２のアイコン５１Ｂが押しやすい大きさであると判断された場合、第２のアイコン５１Ｂの反応領域６１Ｂはそのままとなる。したがって、アイコンの大きさがまちまちであっても、ちいさなアイコンの反応領域は自動的に拡大されるため、アイコンの押しやすさが改善される。
【００５４】
続いて、上記作業データ一時保管場所３７から全てのアイコンの反応領域の情報を取得する（図３ＢのステップＳ１８）。
【００５５】
そして、全てのアイコンのうち、対象となる一つのアイコンを選択し（ステップＳ１９）、このアイコンの反応領域が、その他のアイコンの反応領域と重なっているか否かを判断する（ステップＳ２０）。
【００５６】
この一つのアイコンの反応領域が、その他のアイコンの反応領域と重なっていないと、この一つのアイコンの反応領域を上記最終データ保管場所３８に格納する（ステップＳ２１）。
【００５７】
例えば、図８に示すように、第１のアイコン５１Ａの反応領域６１Ａが、第２のアイコン５１Ｂの反応領域６１Ｂに重ならないと、第１のアイコン５１Ａの反応領域６１Ａの位置をそのままとする。
【００５８】
一方、この一つのアイコンの反応領域が、その他のアイコンの反応領域と重なっていると、上記反応領域再調整手段３３は、この一つのアイコンの反応領域の重複部分を、重ならないように再調整する（ステップＳ２２）。つまり、反応領域再調整手段３３は、この一つのアイコンの反応領域が、他のアイコンの反応領域と重複しないように、この一つのアイコンの反応領域の位置を調整する。
【００５９】
例えば、図９に示すように、第１のアイコン５１Ａの反応領域６１Ａを拡大するとき、第１のアイコン５１Ａの反応領域６１Ａが第２のアイコン５１Ｂの反応領域６１Ｂと重複しないように、第１のアイコン５１Ａの反応領域６１Ａの位置を上方へずらす。これによって、互いに隣接しているアイコン６１Ａ，６１Ｂであっても、押しやすさを改善できる。
【００６０】
そして、このアイコンの反応領域を上記最終データ保管場所３８に格納する（ステップＳ２１）。
【００６１】
その後、未処理のアイコンがなくなるまで、上記ステップＳ１９〜上記ステップＳ２２を繰り返す（ステップＳ２３）。
【００６２】
続いて、上記タッチパネル２４の上記押下検出手段３９が、画面への接触による押し下げを検出すると（図４のステップＳ３１）、上記制御部１１は、上記最終データ保管場所３８から全てのアイコンの反応領域を取得する（ステップＳ３２）。
【００６３】
このとき、上記画面オブジェクト登録部１１１は、アプリケーション１５の画面の構成情報を登録している。上記反応領域取得部１１２は、画面オブジェクト登録部１１１に登録された全てのアイコンの反応領域を、最終データ保管場所３８から取得する。
【００６４】
そして、上記制御部１１の上記判定部１１３は、上記押下検出手段３９によって検出された接触位置（入力座標）に重なるアイコンの反応領域が存在するか否かを、判定する（ステップＳ３３）。
【００６５】
上記判定部１１３によってアイコンの反応領域の存在を確認すると、この判定部１１３は、アプリケーション１５に、この選択されたアイコンを通知する（ステップＳ３４）。アプリケーション１５は、このアイコンの指令を受けて、動作する。
【００６６】
上記構成の情報表示装置によれば、上記反応領域拡大手段３２は、画面上に表示されるべきアイコンの反応領域の大きさが、基準値取得手段３４によって取得された基準値よりも小さいと、アイコンの反応領域の大きさを基準値となるように拡大する。
【００６７】
これによって、アイコンの反応領域が拡大されるため、外形が小さなアイコンであっても選択しやすくなる。また、画面上にアイコンを表示する際に、アイコンの反応領域の拡大処理が行われるため、前もってユーザが特別な操作を実行する必要がなく、１回目の操作からアイコンを押しやすい。
【００６８】
また、上記反応領域拡大手段３２は、アイコンの外形の大きさは変化させず、アイコンの反応領域だけを拡大する。これによって、拡大されるのはアイコンの反応領域のみで、アイコンの外形や画面構成は変わらないため、画面の再描画やユーザの追加のアクション等が不要であり、スムーズな操作が可能である。
【００６９】
また、上記反応領域再調整手段３３は、反応領域拡大手段３２によって第１のアイコンの反応領域を拡大するとき、この第１のアイコンの反応領域が、第２のアイコンの反応領域と重複しないように、この第１のアイコンの反応領域の位置を調整する。これによって、第１のアイコンが第２のアイコンに隣接していても、第１のアイコンの押しやすさを改善できる。
【００７０】
なお、上記実施形態では、図９に示すように、アイコン５１Ａの反応領域６１Ａを、矩形に拡大していたが、図１０に示すように、アイコン５１Ａ，５１Ｂの反応領域６１Ａ，６１Ｂを、楕円形に拡大してもよい。これによって、矩形と比較すると狭い範囲にアイコンが配置されていたとしても、反応する領域が衝突する可能性が低くなる。また、アイコンを押す場合、四隅を狙ってアイコンを押下するとは考えにくく、楕円形で反応領域を拡大するのは、より合理的である。
【００７１】
また、上記実施形態では、図６と図９に示すように、アイコンの数を１つまたは２つにしていたが、図１１に示すように、アイコンの数を３つにしてもよい。この場合、３つのアイコン５１Ａ，５１Ｂ，５１Ｃは、互いに隣接するが、それぞれの反応領域６１Ａ，６１Ｂ，６１Ｃは、互いに重ならない。
【００７２】
また、上記ユーザ設定手段３５により、ユーザの選択によりアイコンの反応領域の大きさを設定するようにしてもよい。これによって、ユーザの好みにあわせて、アイコンの反応領域の大きさを選択できる。例えば、図１２に示すように、画面５０に、「アイコンの押しやすさの設定」の調整バー７０を表示させ、ユーザに、この調整バー７０の大小を設定させて、アイコンの反応領域の拡大の幅を決めさせるようにしてもよい。
【００７３】
また、上記反応領域拡大手段によるアイコンの反応領域の拡大や、上記反応領域再調整手段によるアイコンの反応領域の位置の調整については、アイコンを画面に表示する前後の何れであってもよく、アイコンをタッチする前であればよい。
【００７４】
また、アイコンの数量を４つ以上としてもよい。また、アイコンの反応領域を画面に表示させるようにしてもよい。また、アイコンの外形とアイコンの反応領域とを一致させて、アイコンの反応領域を拡大させるとともに、アイコンの外形も拡大させるようにしてもよい。
【００７５】
また、上記情報表示装置として、電子辞書、パソコン、携帯電話、携帯情報端末（PDA: Personal Digital Assistant）等の情報表示装置であってもよい。
【００７６】
また、本発明の情報表示方法として、基準値取得工程（つまり、上記基準値取得手段）と、反応領域拡大工程（つまり、上記反応領域拡大手段）とを備えるようにしてもよい。
【００７７】
また、本発明の情報表示プログラムとして、コンピュータを、上記基準値取得手段および上記反応領域拡大手段として機能させるようにしてもよい。
【００７８】
また、本発明のプログラム記録媒体として、上記情報表示プログラムを記録するようにしてもよい。
【符号の説明】
【００７９】
１１  制御部
２４  タッチパネル
３２  反応領域拡大手段
３３  反応領域再調整手段
３４  基準値取得手段
３４１  メモリ
３５  ユーザ設定手段
５０  画面
５１，５１Ａ，５１Ｂ，５１Ｃ  アイコン
６１，６１Ａ，６１Ｂ，６１Ｃ  反応領域
７０  調整バー
【図１】
2014016714.tif 000003
【図２】
2014016714.tif 000004
【図３Ａ】
2014016714.tif 000005
【図３Ｂ】
2014016714.tif 000006
【図４】
2014016714.tif 000007
【図５】
2014016714.tif 000008
【図６】
2014016714.tif 000009
【図７】
2014016714.tif 000010
【図８】
2014016714.tif 000011
【図９】
2014016714.tif 000012
【図１０】
2014016714.tif 000013
【図１１】
2014016714.tif 000014
【図１２】
2014016714.tif 000015